(57)【要約】【課題】光学シート間に混入する異物の除去や部品交換を容易にし、高温高湿環境下における光学シートの変形や接着層の滲み出しによる不具合を解消したバックライトユニット及び液晶表示装置を提供する。【解決手段】ケース８の凹部８ｂ内に配置された光学シート１０は、その上方に遮光テープ２が積層配置されている。前記遮光テープ２には接着層２ｃが前記ケース８の上部周縁部８ａとの対向面となる部位のみに形成される構成である。よって、前記ケース８の上部周縁部８ａと遮光テープ２の接着層２ｃは接着固定される構成であるが、光学シート１０との積層部位は接着層が設けられておらず、接着固定されない構成となっている。前記光学シート１０が遮光テープ２の接着層２ｃにより接着されない箇所を設けることにより、前記光学シート１０は遮光テープ２に接着されることなく、前記遮光テープ２の内周縁部でフリーな状態で接触保持される状態となる。【選択図】図３
2007178870.tif 000002
【特許請求の範囲】
【請求項１】
少なくとも、導光板と、該導光板の光出射面側に積層される光学シートと、該光学シート上に積層され、液晶表示パネルの表示部に対応する開口部を有する遮光テープと、前記導光板、前記光学シート及び前記遮光テープを収容するためのケース部材から構成されるバックライトユニットにおいて、前記遮光テープは前記光学シートの外周縁部に重なる積層部を有しており、前記遮光テープと前記光学シートとの積層部は接着固定されていないことを特徴とするバックライトユニット。
【請求項２】
前記遮光テープは前記光学シートとの積層部以外の部位に接着層を有しており、前記接着層は前記ケース部材の上部周縁部に対向する位置に設けられていることを特徴とする請求請１記載のバックライトユニット。
【請求項３】
前記ケース部材の上部周縁部に接着層を形成し、前記遮光テープは前記光学シートとの積層部以外の部位が前記ケース部材の接着層により接着固定されていることを特徴とする請求項１記載のバックライトユニット。
【請求項４】
前記１〜３の何れか１つに記載のバックライトユニットを有し、液晶表示パネルを前記遮光テープ上に配置して構成されることを特徴とする液晶表示装置。
【発明の詳細な説明】
【技術分野】
【０００１】
本発明は、バックライトユニット及びこれを用いた液晶表示装置に関するものである。
【背景技術】
【０００２】
図１は本発明に係わる液晶表示装置の分解斜視図である。
１は液晶表示パネル、２は開口部２ａを有する遮光テープである。１０は光学シートで、例えば集光シート３、４及び拡散シート５から構成されている。６は導光板、７は反射シート、８はケースである。
【０００３】
前記ケース８には、凹部８ｂが設けられており、該凹部８ｂ内に反射シート７、導光板６及び該導光板６の光出射面側に積層される光学シート１０が搭載されている。前記光学シート１０上には、接着層を持つ遮光テープ２が貼着固定され、バックライトユニット１１が構成される。さらに、遮光テープ２上には接着層を介して液晶表示パネル１が貼り合わせられて液晶表示装置１２が構成されるものである。前記積層された光学シート１０は、光源ユニット９からの光を効率的に液晶表示パネル１２へ照射することを目的に設けられたものである。
【０００４】
図２は本発明に係わるバックライトユニットの正面図である。本図においては、遮光テープ２に斜線を付して明記しているが、通常この部位は黒色化されている。当該遮光テープ２は開口部２ａを有するもので、該開口部２ａは、前記遮光テープ２上に配置される液晶表示パネルの表示部に対応する構成となっている。
【０００５】
図６は従来技術によるバックライトユニットの一部断面図で、図２のＢ−Ｂで切断した場合の断面図である。図６は、従来技術による遮光テープの貼着固定構造を示している。
前記ケース８の凹部８ｂ内に積層配置された光学シート１０の最上層となる集光シート３上には、前記遮光テープ２が積層配置されている。このとき、前記遮光テープ２には、接着層２ｂが設けられており、ケース８の上部周縁部８ａと集光シート３の外周縁部を同時に接着固定した構成である。これにより、光学シート１０をケース８内に保持固定した構成である。また、前記遮光テープ２上には、液晶表示パネル１（図６においては不図示）が搭載されて液晶表示装置が構成される。（例えば、特許文献１参照。）
【特許文献１】特開２００５−２４３５７２号公報
【発明の開示】
【発明が解決しようとする課題】
【０００６】
前記バックライトユニット１１の生産工程においては、積層された光学シート１０間への異物混入やシート表面への汚れ、キズ等の不良が発生しやすいため、メンテナンス作業が必要となる場合がある。しかしながら、前記構成にて集光シート３を固定すると、遮光テープ２の接着層２ｂが集光シート３の外周縁部にも貼り付いた状態となるため、これを剥がして行うメンテナンス作業が非常に困難になる。また、この作業を強行した場合には、光学シート１０表面に新たなキズや汚れをつけてしまうこととなり、最悪の場合はキズの付いた光学シート１０を廃棄せざるを得ない状態となってしまう。
【０００７】
また、高温高湿環境下において、光学シート１０が熱により膨張した場合、最上層の集光シート３は遮光テープ２の接着層２ｂにより固定されているため、膨張に対する逃げ場がなく、集光シート３中央部が膨れ上がり、その上方に配置される液晶表示パネル１と最上層の集光シート３が密着して干渉し、液晶表示装置としての表示品質を低下させてしまうことがある。
【０００８】
また、高温高湿環境下における光学シート１０の熱膨張によって、膨れ上がる各々のシート間が密着した状態になってしまう。このとき、前記集光シート３には正面輝度向上のためレンズ目を有しており、光学シート１０を構成する各シート間が密着した場合には、前記集光シート３のレンズ目が視認できる状態となり、製品機能を損ねてしまう。
【０００９】
さらに、高温高湿環境下において、遮光テープ２の接着層２ｂが熱溶解にてバックライトユニット１１の発光面（遮光テープ２の開口部２ａ方向）に滲み出してしまうことがある。このような状態は、前記同様製品機能を損ねる結果となり好ましくない。
【００１０】
本発明は、前記問題点に鑑みなされたもので、光学シート間に混入する異物の除去や部品交換を容易にし、高温高湿環境下における光学シートの変形や接着層の滲み出しによる不具合を解消したバックライトユニット及び液晶表示装置を提供しようとするものである。
【課題を解決するための手段】
【００１１】
少なくとも、導光板と、該導光板の光出射面側に積層される光学シートと、該光学シート上に積層され、液晶表示パネルの表示部に対応する開口部を有する遮光テープと、前記導光板、前記光学シート及び前記遮光テープを収容するためのケース部材から構成されるバックライトにおいて、前記遮光テープは前記光学シートの外周縁部に重なる積層部を有しており、前記遮光テープと前記光学シートとの積層部は接着固定されていないバックライトユニットとする。
【００１２】
前記遮光テープは前記光学シートとの積層部以外の部位に接着層を有しており、前記接着層は前記ケース部材の上部周縁部に対向する位置に設けられているバックライトユニットとする。
【００１３】
前記ケース部材の上部周縁部に接着層を形成し、前記前記遮光テープは前記光学シートとの積層部以外の部位が前記ケース部材の接着層により接着固定されているバックライトユニットとする。
【００１４】
前記バックライトユニットを有し、液晶表示パネルを前記遮光テープ上に配置して構成される液晶表示装置とする。
【発明の効果】
【００１５】
本発明によれば、遮光テープと光学シートは接着固定されない構成なので、メンテナンス作業の必要性があってもその作業が容易になり、作業時において生じる光学シートのキズや汚れを防止できる。
【００１６】
また、遮光テープと光学シート間にクリアランスを設けることが可能であり、このクリアランスにより高温高湿環境下の熱膨張に対する逃げを確保することが可能になる。これにより、液晶表示パネルと光学シートの干渉が防止でき、各シート間の密着防止も可能となり、表示品質、製品機能を低下させることなく良品質のバックライトユニット及び液晶表示装置を提供できる。
【００１７】
また、遮光テープと光学シートは接着固定されない構成としたので、接着剤が直接光学シートに触れないので、高温高湿環境下において接着層がバックライトユニットの発光面へ滲み出すことがなくなり、表示品質、製品機能を低下させることなく良品質のバックライトユニット及び液晶表示装置を提供できる。
【発明を実施するための最良の形態】
【００１８】
以下、本発明の実施形態を図面に基づいて説明する。但し、本発明のバックライトユニット及び液晶表示装置の基本構成は背景技術において説明した図１及び図２の構成と同様であるため、本発明に係わる遮光テープの貼着固定構造部のみを図示して詳細に説明する。
【００１９】
図３は本発明の第一実施形態のバックライトユニットで、図２のＢ−Ｂで切断した場合の部分断面図である。ケース８の凹部８ｂ内に配置された光学シート１０は、その上方に遮光テープ２が積層配置されている。前記光学シート１０及び遮光テープ２の積層配置構成は従来技術と同様であるが、本実施形態は、前記遮光テープ２には接着層２ｃが前記ケース８の上部周縁部８ａとの対向面となる部位のみに形成される構成である。よって、前記ケース８の上部周縁部８ａと遮光テープ２の接着層２ｃは接着固定される構成であるが、光学シート１０との積層部位は接着層が設けられておらず、接着固定されない構成となっている。前記構成のごとく、前記光学シート１０（最上層となる集光シート３）は遮光テープ２に接着されることなく、前記遮光テープ２の内周縁部でフリーな状態で接触保持される状態となる。
【００２０】
前記構成とすることにより、異物混入等によるメンテナンス作業発生時に遮光テープ２を剥がしても、接着層２ｃが光学シート１０（最上層となる集光シート３）に接していないため、前記光学シート１０にキズを付けたり、傷めることなくメンテナンス作業を容易に行うことができ、歩留りの向上に繋がる。また、光学シート１０（最上層となる集光シート３）表面上に接着層が転写することがないので、汚れることもない。
【００２１】
また、光学シート１０は導光板６の光出射側に積層されているが、高温高湿環境下における熱膨張により、光学シート１０が膨れ上がっても、光学シート１０と遮光テープ２の間にクリアランスが生じているため熱膨張に対する逃げ場を作ることが可能である。よって、表示品質、製品機能を損なうことがなくなる。
【００２２】
また、接着層２ｃが直接光学シート１０（最上層となる集光シート３）に触れないので、高温高湿環境下において接着層２ｃがバックライトユニットの発光面へ滲み出すことがなくなり、表示品質、製品機能を低下させることがなくなる。
【００２３】
２ｂは、遮光テープ２の表面上に形成された接着層である。当該接着層２ｂ上には図示しない液晶表示パネルが搭載され、前記接着層２ｂを介してバックライトユニットと組み合わされ、液晶表示装置が構成される。
【００２４】
図４は本発明の第二実施形態のバックライトユニットで、図２のＢ−Ｂで切断した場合の部分断面図である。遮光テープ２は液晶表示パネル（不図示）の搭載側に接着層２ｂを有しているが、光学シート１０側には接着層を有していない構成である。ケース８の凹部８ｂ内には、光学シート１０等の各部材が収納配置されている。前記ケース８の上部周縁部８ａには、前記遮光テープ２を接着固定するための粘着層１３ａ、１３ｂを有する両面テープ１３が貼り付けられており、当該両面テープ１３により遮光テープ２が接着固定される構成としている。
【００２５】
前記構成によれば、前記ケース８の上部周縁部８ａ上に設けられた両面テープ１３と、これに対向する遮光テープ２の一部面が接着固定される構成であるが、光学シート１０との積層部位には接着層が設けられておらず、接着固定されない構成となるので、光学シート１０を傷めることなくメンテナンス作業を容易に行うことができ、歩留りの向上に繋がる。また、光学シート１０表面上に接着層が転写することがないので、汚れることもない。
【００２６】
また、高温高湿環境下における熱膨張により、光学シート１０が膨れ上がっても、光学シート１０と遮光テープ２の間にクリアランスが生じているため熱膨張に対する逃げ場を作ることが可能である。よって、表示品質、製品機能を損なうことがなくなる。
【００２７】
また、前記両面テープ１３の粘着層１３ａ、１３ｂが直接光学シート１０に触れないので、高温高湿環境下において前記粘着層１３ａ、１３ｂがバックライトユニットの発光面へ滲み出すことがなくなり、表示品質、製品機能を低下させることがなくなる。
【００２８】
遮光テープ２に設けられた接着層２ｂ上には図示しない液晶表示パネルが搭載され、前記接着層２ｂを介してバックライトユニットと組み合わされ、液晶表示装置が構成される。
【００２９】
図５は本発明のバックライトユニットに係わる遮光テープに設けられる液晶表示パネル固定用接着層の別形態を示す図で、図２のＢ−Ｂで切断した場合の部分断面図である。遮光テープ２は、液晶表示パネル（不図示）の搭載側に接着層２ｂを有している。当該接着層２ｂの構成は、前記遮光テープ２の液晶表示パネル搭載面全面に設けるのではなく、非接着層２ｄを開口部２ａ側に設けている。該非接着層２ｄは０．５〜１．０ｍｍ程度の幅で設ければ良い。該構成によれば、高温高湿環境下における熱溶解により、接着層２ｂが開口部２ａ側へ滲みでて、バックライトユニットの発光面及び液晶表示パネルの表示エリア上への漏れ出しを防止することが可能となる。
【００３０】
前記構成の接着層２ｂの構成は、既に説明した本発明の第一実施形態、第二実施形態のいずれにおいても採用可能である。
【図面の簡単な説明】
【００３１】
【図１】本発明に係わる液晶表示装置の分解斜視図。
【図２】本発明に係わるバックライトユニットの正面図。
【図３】本発明の第一実施形態に係わるバックライトユニットで、図２のＢ−Ｂで切断した場合の部分断面図。
【図４】本発明の第二実施形態に係わるバックライトユニットで、図２のＢ−Ｂで切断した場合の部分断面図。
【図５】本発明のバックライトユニットに係わる遮光テープに設けられる液晶表示パネル固定用接着層の別形態を示す図。
【図６】従来技術によるバックライトユニットの一部断面図で、図２のＢ−Ｂで切断した場合の断面図。
【符号の説明】
【００３２】
１    液晶表示パネル
２    遮光テープ
２ａ  開口部
２ｂ  接着層
２ｃ  接着層
２ｄ  非接着層
３    集光シート
４    集光シート
５    拡散シート
６    導光板
７    反射シート
８    ケース
８ａ  ケース上部周縁部
８ｂ  凹部
９    光源ユニット
１０    光学シート
１１    バックライトユニット
１２    液晶表示装置
１３    両面テープ
１３ａ  粘着層
１３ｂ  粘着層
【図１】
2007178870.tif 000003
【図２】
2007178870.tif 000004
【図３】
2007178870.tif 000005
【図４】
2007178870.tif 000006
【図５】
2007178870.tif 000007
【図６】
2007178870.tif 000008